(57)【要約】【課題】苗が所定の大きさに生育するまで型崩れせず、土中に埋め込んで継続的に苗の育成ができ、土中に埋め込んだ後における土中での分解期間を苗種や成長予測に従って最適期間に適するよう調整してある繊維製育苗用品の提供。【解決手段】繊維状のパルプ材に、木酢液又は竹酢液若しくはこれら両液が０．５〜１０重量部混入された素材で成形されていること。また、このような成型品を、植物を打砕又は煮沸処理し繊維状に形成して得たパルプ原料に、木酢液又は竹酢液若しくはこれらの両液を０．５〜１０重量部混入し、全体を均一に撹拌し、これを適宜の厚さに漉き上げた後、所要形状にプレス成形し、単位成形品を形成する方法。【選択図】        図３
2004215550.tif 000002
【特許請求の範囲】
【請求項１】
繊維状のパルプ材に、木酢液又は竹酢液若しくはこれら両液が０．５〜１０重量部混入された素材で成形された繊維製育苗用品。
【請求項２】
竹繊維と、イネ科植物又はマメ科植物の煮沸繊維と、植物素材を加熱処理して炭化させた炭素化植物材とに、木酢液又は竹酢液若しくはこれらの両液が０．５〜１０重量部混入された素材で成形された繊維製育苗用品。
【請求項３】
竹繊維と、イネ科植物又はマメ科植物の煮沸繊維と、植物素材を加熱処理して炭化させた炭素化植物材とに、少量の尿素が混合された混合パルプ材に、木酢液又は竹酢液若しくはこれらの両液が０．５〜１０重量部混入された素材で成形された繊維製育苗用品。
【請求項４】
竹繊維と、イネ科植物又はマメ科植物の煮沸繊維と、植物素材を加熱処理して炭化させた炭素化植物材とに、骨粉等のカルシウム系素材粉末又は鶏糞粉末の１種類以上からなる補助材と、少量の尿素とが混合された混合パルプ材に、木酢液又は竹酢液若しくはこれらの両液が０．５〜１０重量部混入された素材で成形された繊維製育苗用品。
【請求項５】
植物を打砕又は煮沸処理し繊維状に形成して得たパルプ原料に、木酢液又は竹酢液若しくはこれらの両液を０．５〜１０重量部混入し、全体を均一に撹拌し、これを適宜の厚さに漉き上げた後、所要形状にプレス成形し、単位成形品を形成する繊維製育苗用品の製造方法。
【請求項６】
打砕して形成した竹繊維と、イネ科植物又はマメ科植物を煮沸処理して得た煮沸繊維と、植物素材を加熱処理して炭化させた炭素化植物材とを、それぞれ個別に形成して得た後適宜の割合で混合した混合繊維材に、木酢液又は竹酢液若しくはこれらの両液を０．５〜１０重量部混入し、全体を均一に撹拌し、これを適宜の厚さに漉き上げた後、所要形状にプレス成形し、単位成形品を形成する繊維製育苗用品の製造方法。
【請求項７】
打砕して形成した竹繊維と、イネ科植物又はマメ科植物を煮沸処理して得た煮沸繊維と、植物素材を加熱処理して炭化させた炭素化植物材とを、それぞれ個別に形成して得た後適宜の割合で混合した混合繊維材に、少量の尿素と、木酢液又は竹酢液若しくはこれらの両液を０．５〜１０重量部混入し、全体を均一に撹拌し、これを適宜の厚さに漉き上げた後、所要形状にプレス成形し、単位成形品を形成する繊維製育苗用品の製造方法。
【請求項８】
打砕して形成した竹繊維と、イネ科植物又はマメ科植物を煮沸処理して得た煮沸繊維と、植物素材を加熱処理して炭化させた炭素化植物材とを、それぞれ個別に形成して得た後適宜の割合で混合した混合繊維材に、骨粉等のカルシウム系素材粉末又は鶏糞粉末の１種類以上の補助材と、少量の尿素と、木酢液又は竹酢液若しくはこれらの両液を０．５〜１０重量部混入し、全体を均一に撹拌し、これを適宜の厚さに漉き上げた後、所要形状にプレス成形し、単位成形品を形成する繊維製育苗用品の製造方法。
【発明の詳細な説明】
【０００１】
【発明の属する技術分野】
本発明は、花卉や野菜類の育苗ポット、稲籾等の育苗床のように、苗の育成に使用するシート状・マット状・トレー状物やポット状物であって、播種当初から若しくは苗が所定の大きさに生育後に、主として土中に埋め込んで使用する育苗用品とその製造方法に関するものである。より詳しくは、合成樹脂素材等を使用することなく、植物繊維、殊に、植物廃材若しくは未利用植物材の繊維を主材料として形成した育苗用品とその製造方法に関するものである。
【０００２】
【従来の技術】
従来、一般に花卉や野菜類の育苗のために広く使用され普及している育苗ポットは、周知のごとく黒色の塩化ビニール製薄膜シートをブロー成形手段等によって小さな植木鉢形に膨出成形したものである。また、籾を播種し稲苗を育成する苗床は、田圃に作った畝上に籾を直播きする苗床と、高さの低いトレー状とした木箱や合成樹脂製トレーに均一厚さに床土を入れてその上に籾を播種する苗床が知られている。
【０００３】
【発明が解決しようとする課題】
前者の合成樹脂シート製の育苗ポットは、安価であるという利点を備えたものであるが、ポット壁から吸気や栄養分を吸収することができないため、苗の根が蒸れ易く、潅水による養分補給を待たなければならないため所定の大きさ以上には成長しにくく成長が停滞し、育成苗の圃場や他の大形鉢への植え替え時に育苗土を育苗ポットから取り出す必要があり、この植え替え作業時に育成苗の根が損傷し、植え替え後の成育に一時的な障害を来すことがあり、使用後不要となった育苗ポットの廃棄処分が大気汚染や土壌汚染のような環境汚染や公害問題を引き起こすという懸念も存在するものであった。
【０００４】
また、後者の田圃の畝上に籾を直播きする苗床の場合は、育成苗の苗取り作業と植え付け（田植え）作業を人手に頼らなければならないという課題を有し、トレー状の木箱や合成樹脂製トレーに播種する苗床の場合は、木箱やトレーに入れる床土の入手が困難で、自作する場合は大変な手数がかかり、床土を均一厚さに敷き詰める作業も容易ではなく、また、田植機による育成苗の田植え作業後に一時的な生育停止現象を生じることが知られている。
【０００５】
そこで、本発明は、これら従来から使用されている樹脂シート製の育苗ポットや稲籾等の苗床が有していた上記各種の課題を共通課題として、これらの課題を共通的に技術解決することができる、育苗ポット、育苗シート、育苗マット若しくは育苗トレー等の繊維製育苗用品をここに提供しようとするものである。
【０００６】
殊に、本発明にいうところの育苗用品は、育苗ポットを含み苗が所定の大きさに生育した後に、育苗ポットごと若しくはシートやマットごと土中に埋め込んで使用する育苗用品であって、使用する素材として植物の繊維、殊に廃材として原野に放置されたり廃棄されたりしている植物の繊維を主材料として利用し、生育苗とともに土中に埋め込んだこれらの育苗用品が、土中に埋め込んだ後における土中での分解期間を苗種や成長予測に従って最適期間に適するよう調整してある繊維製育苗用品の提供を第１の目的とするものである。
【０００７】
第２の目的は、育苗用品それ自体が、微細な気孔を有し地上にあっては苗根が蒸れることなく生育し、土中又は水中に配置される場合も含めて苗根が育苗用品の繊維に直接食い込んで根張りの良い状態で安定良く生育し、また、植物繊維に予め肥料を混合させてある育苗用品の場合には育苗用品自体からも肥料の供給を受けながら良好な生育を続けることが出来る繊維製育苗用品を提供することにある。
【０００８】
第３の目的は、このような繊維製育苗用品を通常の成形手段によって成形することにより高価なものとなることなく市場に提供することにあり、殊に、前記廃材や未利用の植物繊維を主材料として積極的に活用することにより、廉価に市場に提供することにある。
【０００９】
【課題を解決するための手段】
これらの目的を達成するために講じた本発明にいう繊維製育苗用品の第１の構成は、繊維状のパルプ材に、木酢液又は竹酢液若しくはこれら両液が０．５〜１０重量部混入された素材を用いて成形してある構成としたものである。
【００１０】
また、第２の構成は、竹繊維と、イネ科植物又はマメ科植物の煮沸繊維と、植物素材を加熱処理して炭化させた炭素化植物材とに、木酢液又は竹酢液若しくはこれらの両液が０．５〜１０重量部混入された素材を用いて成形してある構成としたものである。
【００１１】
第３の構成は、竹繊維と、イネ科植物又はマメ科植物の煮沸繊維と、植物素材を加熱処理して炭化させた炭素化植物材とに、少量の尿素が混合された混合パルプ材に、木酢液又は竹酢液若しくはこれらの両液が０．５〜１０重量部混入された素材を用いて成形してある構成としたものである。
【００１２】
第４の構成は、竹繊維と、イネ科植物又はマメ科植物の煮沸繊維と、植物素材を加熱処理して炭化させた炭素化植物材とに、骨粉等のカルシウム系素材粉末又は鶏糞粉末の１種類以上からなる補助材と、少量の尿素とが混合された混合パルプ材に、木酢液又は竹酢液若しくはこれらの両液が０．５〜１０重量部混入された素材を用いて成形してある構成としたものである。
【００１３】
而して、このような構成とした繊維製育苗用品を製造する手段としての第１の方法は、植物を打砕又は煮沸処理し繊維状に形成して得たパルプ原料に、木酢液又は竹酢液若しくはこれらの両液を０．５〜１０重量部混入し、全体を均一に撹拌し、これを適宜の厚さに漉き上げた後、所要形状にプレス成形し、単位成形品を形成する方法としたものである。
【００１４】
また、第２の方法は、打砕して形成した竹繊維と、イネ科植物又はマメ科植物を煮沸処理して得た煮沸繊維と、植物素材を加熱処理して炭化させた炭素化植物材とを、それぞれ個別に形成して得た後適宜の割合で混合した混合繊維材に、木酢液又は竹酢液若しくはこれらの両液を０．５〜１０重量部混入し、全体を均一に撹拌し、これを適宜の厚さに漉き上げた後、所要形状にプレス成形し、単位成形品を形成する方法としたものである。
【００１５】
第３の方法は、打砕して形成した竹繊維と、イネ科植物又はマメ科植物を煮沸処理して得た煮沸繊維と、植物素材を加熱処理して炭化させた炭素化植物材とを、それぞれ個別に形成して得た後適宜の割合で混合した混合繊維材に、少量の尿素と、木酢液又は竹酢液若しくはこれらの両液を０．５〜１０重量部混入し、全体を均一に撹拌し、これを適宜の厚さに漉き上げた後、所要形状にプレス成形し、単位成形品を形成する方法としたものである。
【００１６】
また、第４の方法は、打砕して形成した竹繊維と、イネ科植物又はマメ科植物を煮沸処理して得た煮沸繊維と、植物素材を加熱処理して炭化させた炭素化植物材とを、それぞれ個別に形成して得た後適宜の割合で混合した混合繊維材に、骨粉等のカルシウム系素材粉末又は鶏糞粉末の１種類以上の補助材と、少量の尿素と、木酢液又は竹酢液若しくはこれらの両液を０．５〜１０重量部混入し、全体を均一に撹拌し、これを適宜の厚さに漉き上げた後、所要形状にプレス成形し、単位成形品を形成する方法としたものである。
【００１７】
【発明の実施の形態】
本発明にいうところの前記第１乃至第４の構成とした各繊維製育苗用品は、このような第１の方法乃至第４の方法の具体的な実施によって得ることが出来る。以下においてその具体的な実施例について説明する。
【００１８】
【実施例】
図１及び図２は、平面形状を丸形とした育苗ポット単体の実施例形状を示したものである。この育苗ポットの形状は、丸形のもののみに限らず平面形状正方形や六角形、八角形等としたものがある。また、図３は、このような平面形状を丸形とした育苗ポットの多数個を一つの成形型によって成形した状態を示したものである。図４及び図５は、稲籾育成用の育苗マットを示したものである。
【００１９】
先ず、第１の実施例として、根菜類の苗の育成用に適した育苗ポットについての素材と製造方法について説明する。該育苗ポットの素材例としては、竹を打撲圧壊して得た煮沸されていない竹繊維約１０重量部と、煮沸した葦とハギの繊維約６０重量部前後と、蕎麦殻又は茶殻等を焙煎して炭化させたもの約３０重量部前後とを混合し、この植物性材料に対し約１５重量部の尿素と、約５重量部の木酢液とを入れて全体を撹拌混合して均一化したものを成型用素材とする。
【００２０】
この成型用素材を使用して図１乃至３に示した育苗ポットを製造する実施例としては、先ず、この成形用素材を厚さ約１．５〜２ｍｍ程度となるように漉き網を利用して順次的に漉き上げ、その吸湿状態下において、または、一旦乾燥状態にした素材の場合には、水分を霧状に撒布させて吸湿状態とさせ、これを多数のポット成形穴を備えた圧縮成型金型に入れ、温度２００℃、圧力３Ｋｇ／ｃｍ２の条件下で２０〜３０秒かけてプレス成形し、図４に示したような多数個の独立ポット穴ｈを備えた一連の成形シート１０を形成する。
【００２１】
この成形シート１０を次工程において、図１及び２に示したように、穴の周縁部にフランジ部４を残し、底中央に排水口２と、底周辺部に複数、図では８個の周辺排水穴３とを形成するようにして打ち抜き、個々の独立した育苗ポット１を形成する。また、図３に示したように、複数個の独立ポットの個々が周縁フランジ部４，４どうしを繋ぐ連結部５によって一連に連結されている複数ポット一体形単位体を形成するには、前記図４の成形シート１０を、各々四つの独立ポットで囲まれた平坦部を前記連結部５を残して打ち抜き除去すると同時に、個々のポット１の底部に前記のように中央排水口２を打ち抜き、必要であれば周辺排水穴３も同時に打ち抜くことによって形成することが出来る。
【００２２】
次に、根菜類の苗の育成用に適した育苗ポットを形成する素材の第２実施例について説明する。この素材は、煮沸されていない竹の幹、茎、皮、芯等をチップ状、パウダー状に粉砕して粉パルプとし、この粉パルプ約１０重量部と、煮沸した葦の繊維約３０重量部及びハギの木の繊維約３０重量部と、蕎麦殻を焙煎して炭化したもの約３０重量部とに、水を加えて溶解槽で泥状に撹拌し懸濁液を形成する。この懸濁液に、懸濁前の植物性材料に対し約５重量部の尿素と、約５重量部の竹酢液とを混入し均一に撹拌混合してポット成形用の混合材料を形成する。このようにして形成した混合材料を漉き網で漉いて前記の成形手段に準じた手段で育苗ポット１を成形する。
【００２３】
続いて、果菜類の苗の育成用に適した育苗ポットの素材とその製造方法について、これを第３実施例として説明する。該果菜類用育苗ポットの素材例としては、竹の繊維約１０重量部と、葦の繊維約６０重量部とを混合し煮沸して得た煮沸繊維材料に、蕎麦殻又は茶殻の一種又は両材料を混合して焙煎し炭化させたものを約１０重量部及び骨粉１０重量部及び湿度１２％以下に乾燥した鶏糞１０重量部を夫々混合し、この全体の重量に対し約５重量部の尿素と、約３重量部の木酢液と約３重量部の竹酢液とを混入し、全体を均一に撹拌混合して果菜類用育苗ポットの成型用混合材料を形成する。この混合材料を適宜厚さに漉き上げて、成型温度約２００℃程度、成型圧力約３Ｋｇ／ｃｍ２程度で、加圧金型内において加圧時間約２０〜３０秒間加圧してポット状に成形する。ポットの形状としては任意の形状にすればよく、前記図１〜３に準じた適宜の形状のものを得ればよい。
【００２４】
次いで、果菜類苗用の育苗ポットの別の素材について第４実施例として示す。該実施例の素材は、竹の皮、竹本体等の廃材から得た竹繊維約１０重量部と、葦の繊維約６０重量部とを混合して煮沸処理した煮沸繊維材料と、蕎麦殻を焼いて炭化した炭化植物材料約２０重量部と、菜種の油滓１０重量部とを混合し、水を加えて溶解槽で泥状に撹拌混合して懸濁液とする。更にこの懸濁液に、懸濁前の植物性材料の全重量に対し約２重量部の尿素と約３重量部のパームと、約２重量部の木酢液と約２重量部の竹酢液とを混入し、全体を均一に撹拌混合して果菜類苗育成用ポットの成形用材料とする。
【００２５】
以上のようにして形成した育苗ポット１は、それぞれのポット形成用繊維材料中に、木酢液と竹酢液とをその何れか又は両液を相当の重量部混入し均一に撹拌混合させてあるので、成形後のポット中にこれらの木酢液や竹酢液が含まれているため、育苗当初から、又は苗が適当に育成した後にポットから苗を取り出すことなく、土中に埋め込んで苗の育成を継続させたとき、育苗ポット１それ自体が土中で分解する期間を任意期間延長させることができるという利点がある。
【００２６】
即ち、前記第１実施例乃至第４実施例として示した各ポット成形用材料の場合において、これらの木酢液や竹酢液を混入しない素材の場合には、地上において水遣りや肥料液を撒布しながら育苗した時、ポットとしての個体形状を維持している期間が６週間から２ヶ月程度であって、３ヶ月もすると形態が崩れて持ち運びに支障を来し、また、土中での分解期間は２０日から２５日程度しかないのでポット中に入れた元肥が散水とともに土中に流出し、当初予定の養分を苗が充分に吸収できず、苗の根張りが悪く、苗の成長に支障を来す遠因となっていた。
【００２７】
しかしながら、木酢液や竹酢液を混入した上記第１実施例乃至第４実施例に示した各ポット成形用材料で形成したポットの場合には、地上での育苗期間中でポットが個体形状を維持し形崩れのない状態で持ち運びにも支障を来さない期間を３ヶ月から６ヶ月に延長させることができ、また、土中での分解期間を４０日から５０日程度に延ばすことができ、苗の種類や育成期間に適したものとして使用することができる利点を備えたポットを得ることができる。
【００２８】
図５及び図６に示したものは、稲籾を直接播種して稲の育苗床として使用するのに適したマット１１について示したものである。このマット１１は、田圃に形成した畝の上に敷いて、又は田植機に適した長さに切断したものを、順次敷き詰めてその上に稲籾を直播きして稲の育苗床として苗を育成し、機械植えに適した大きさにまで生長したとき、このマット１１を苗とともに畝から引き上げて、長尺の場合は必要長さに切断して、田植機に積んで機械植えに使用することができるものである。また、従来の田植機用苗の育苗箱又は育苗トレーに育苗土の代わりに敷き込んで育苗することができるものである。なお、図６に示したマット１１は、表面に根張りを良くするための小孔１２を多数形成してある構造としたものである。
【００２９】
この育苗床用マット１１を形成する素材についての基本的な実施例としての第１実施例は、煮沸処理した竹パルプ約１０重量部と、葦パルプ約３０重量部と、打壊処理したパーム繊維約５５重量部とに、水浄化剤としての粉砕木炭約５重量部を入れた混合材料に対し木酢液約４重量部、竹酢液約４重量部を混入して均一に撹拌混合し、これを幅３００ｍｍ×長さ６００ｍｍ×厚さ１５ｍｍ程度の長方形状に圧縮成形させた後乾燥させて、図５に示した多孔質の繊維製育苗マット１１を得る。
【００３０】
この素材の第２実施例は、煮沸処理した竹パルプを約９重量部、葦パルプを約２８重量部、打壊処理したパーム繊維を約５０重量部、水浄化剤としての粉砕木炭を約５重量部とに対して、防黴剤としての乾燥後２００μｍ程度に粉砕した山椒の実の粉末と、同じく乾燥後２００μｍ程度に粉砕した唐辛子の粉末とを夫々約２重量部と、水の浄化と分解遅延剤としての木酢液約４重量部と、肥料としての窒素肥料・燐酸肥料・カリ肥料を１：１．６：１に配合したものを０．０２重量部とを、夫々の割合で均一に撹拌混合して混合材料を形成する。これを圧縮成形し乾燥させて、多孔質の繊維製育苗マット１１を得る点は前記と同じである。
【００３１】
図６に示した育苗マット１１において、その表面に発根を促し、根張りを良くするために形成した多数の小孔１２は、適宜の密度と大きさと深さとに任意に設定すればよいものであるが、該図面に示した実施例のものにあっては、孔径１ｍｍ、縦横の間隔５ｍｍ、深さ２ｍｍに形成してある。この小孔１２は背面に貫通しているものとしてもよい。しかしながら、この小孔１２は図５の育苗マット１１のように必ずしも必要なものではなく、また、小孔に代えて、マットの表面に溝を形成してもよい。この溝は、幅１〜２ｍｍ、深さ１〜２ｍｍで、縦横に平行か格子状に形成して実施することができる。
【００３２】
このように形成した育苗マット１１は、稲籾の発育に必要な水分をマット内に充分に保持し得て、苗の生育に必要な水分の供給をマットから得ることができる利点がある。殊に、マット形成素材中に木酢液や竹酢液を混入してあるので、木炭粉末や竹炭粉末を混入してある場合にはこれらのものと共同して、水を浄化し雑菌の猛繁殖を制御する作用をする。このため育苗中のマットの保形期間を、田植機による機械植えに適した強度を維持し、田植え後において根が成長して田圃の土壌中にまで延びる以前にマットが分解してしまうということがないように、田植え後のマットの分解期間を延長し、調整することができる利点がある。
【００３３】
以上本発明の代表的と思われる実施例について説明したが、本発明は必ずしもこれらの実施例に示した素材と製法のみに限定されるものではなく、他の繊維素材に対して木酢液や竹酢液を混入することによって、育苗用のポットやマット、シートやトレー等の保形期間と土中での分解期間を延長調整する等、本発明にいう構成要件を備え、かつ、本発明にいう目的を達成し、以下にいう効果を有する範囲内において適宜改変して実施することができるものである。
【００３４】
【発明の効果】
以上の説明から明らかなように、本発明にいう繊維製育苗用品は、繊維状のパルプ材に、木酢液又は竹酢液若しくはこれら両液が０．５〜１０重量部となる範囲で混入してある繊維素材を利用して成形したものであるから、ポット形態やマット形状の保形期間が短く育苗期間中に形崩れして、例えば育苗ポットとしての形が崩れてポットの役目を果たさなくなるという不都合がなくなり、苗の育成に必要な期間必ず形状を維持してポットとしての役目を果たし、また、生育苗とともに土中に埋め込んだ場合にも土中での分解期間を苗種や苗の成長予測に従って最適な期間に適するよう調整したものを選択使用することができるという顕著な効果を有するものである。
【００３５】
また、本発明にいうところの繊維製育苗用品は、主体素材が繊維であるため、育苗用品が微細な気孔を有しているので、根を張り易く、地上にあっては苗根が蒸れることなく健康に生育し、土中又は水中に配置して育苗に供する場合をも含めて、苗の根が育苗用品の繊維内に直接食い込んで根張りの良い状態で安定良く継続的に生育させることができる効果がある。しかも、主体素材としての植物繊維は、廃材として原野に放置されている未利用材や廃棄植物の繊維を再利用し、利用後は結果的に土に返すことができるので、環境浄化の一助となるという効果をも有するものである。
【００３６】
本発明にいう繊維製育苗用品の製造方法は、植物を打砕又は煮沸処理し繊維状に形成して得たパルプ原料に、木酢液又は竹酢液若しくはこれらの両液を０．５〜１０重量部混入し、全体を均一に撹拌し、これを適宜の厚さに漉き上げた後、所要形状にプレス成形することによって単位成形品を形成するものであるから、そして、その成形手段は、通常のプレス成形手段でよいので、前記のような顕著な効果を有する繊維製育苗用品を、高価なものとなることなく市場に提供できるという効果を有するものである。
【図面の簡単な説明】
【図１】育苗ポットを示した斜視図。
【図２】図１の育苗ポットを示した平面図。
【図３】集合育苗ポットを示した斜視図。
【図４】育苗ポットの成形品の途中形状を示した斜視図。
【図５】育苗マットの一部を示す斜視図。
【図６】他の育苗マットの一部を示す斜視図。
【符号の説明】
１  育苗ポット
１１  育苗マット
【図１】
2004215550.tif 000003
【図２】
2004215550.tif 000004
【図３】
2004215550.tif 000005
【図４】
2004215550.tif 000006
【図５】
2004215550.tif 000007
【図６】
2004215550.tif 000008